(57)【要約】遠隔観察ステーション（２６）が、画像サーバー（２４）に通信で接続されて、圧縮されたバージョンの原医療画像を受け取る。遠隔観察ステーション（２６）は、前記受け取った医療画像を、圧縮解除して表示する。病理学者などの医療専門家は、前記表示された医療画像のある領域を選択することができる。領域情報が画像サーバーに送り戻され、その画像サーバーは、前記圧縮された医療画像の選択された領域に対応する原医療画像のある領域に画像分析操作を適用する。この方式では、画像圧縮中に起こるデータ損失が画像分析操作に悪影響を与えない。したがって、該画像分析操作は、その操作が、前記圧縮を解除された画像に対し、遠隔観察ステーションによって行われる場合より一層正確な結果を生成する。
2004500211.tif 000002
【特許請求の範囲】
【請求項１】
原医療画像から圧縮された医療画像を作成し、
前記圧縮された医療画像を遠隔観察ステーションに伝送して表示し、
前記表示された医療画像のある領域を選択し、次いで
前記圧縮された医療画像の前記選択された領域に対応する前記原医療画像のある領域に画像分析操作を適用する
ことを含んでなる方法。
【請求項２】
前記圧縮された医療画像を伝送することが、同圧縮された医療画像を大域パケット交換ネットワーク全体にわたって伝送することを含んでいる請求項１に記載の方法。
【請求項３】
前記表示された医療画像の前記選択された領域を定義する領域情報を、前記遠隔観察ステーションから画像サーバーに伝送することをさらに含んでいる請求項１に記載の方法。
【請求項４】
前記領域情報が一連の画素座標である請求項３に記載の方法。
【請求項５】
前記画像分析操作を適用することが、スコアを出力して、同スコアを前記遠隔観察ステーションに伝送して表示することを含む請求項１に記載の方法。
【請求項６】
前記遠隔観察ステーションから診断結果を受け取り、次いで前記診断結果をデータベース内の前記原医療画像と関連づけることをさらに含む請求項１に記載の方法。
【請求項７】
前記圧縮された医療画像の領域を選択することが、使用者によって制御されるポインティング装置からの入力を受け取って、前記圧縮された医療画像の前記領域の輪郭を画くことを含んでいる請求項１に記載の方法。
【請求項８】
圧縮された医療画像を作成することが、ヒトの視覚が検知できるデータ損失を減らす圧縮アルゴリズムを適用することを含んでいる請求項１に記載の方法。
【請求項９】
圧縮された医療画像を作成することが、ＪＰＥＧ圧縮アルゴリズムを適用することを含んでいる請求項８に記載の方法。
【請求項１０】
原医療画像を記憶する画像サーバーと、
前記画像サーバーに通信で接続されて圧縮されたバージョンの原医療画像を受け取る遠隔観察ステーションとを含んでなり、
前記遠隔観察ステーションが前記圧縮された医療画像のある領域を選択するための入力装置を備え、そしてさらに、
前記画像サーバーが、前記圧縮された医療画像の前記選択された領域に対応する前記原医療画像のある領域に対し画像分析操作を適用するシステム。
【請求項１１】
前記遠隔観察ステーションが、領域情報を同遠隔観察ステーションから前記画像サーバーに伝送し、前記領域情報が、前記圧縮された画像の前記選択された領域の輪郭を画く複数の画素座標を含んでいる請求項１０に記載のシステム。
【請求項１２】
前記画像サーバーが、前記画像分析操作を適用して、スコアを作成し、次に同スコアを前記遠隔観察ステーションに表示のために伝達する請求項１０に記載のシステム。
【請求項１３】
前記画像サーバーが、前記遠隔観察ステーションから受け取った診断結果を、前記原医療画像と関連づけるデータベースを含んでいる請求項１０に記載のシステム。
【請求項１４】
前記遠隔観察ステーションが、使用者が制御可能で、前記圧縮された医療画像の前記領域の輪郭を画くポインティング装置を備えている請求項１０に記載のシステム。
【請求項１５】
コンピュータ読取り可能な媒体に実体的に記憶されているコンピュータプログラムであって、プログラム可能なプロセッサに、
原医療画像から圧縮された医療画像を作成させ、
前記圧縮された医療画像を遠隔観察ステーションに表示のために伝送させ、
前記圧縮された医療画像内のある領域を定義する領域情報を前記遠隔観察ステーションから受け取らせ、次いで
前記原医療画像のある領域に画像分析操作を前記領域情報の機能として適用させる
ように作用する命令を含むコンピュータプログラム。
【請求項１６】
前記プロセッサに、前記圧縮された医療画像を、大域ポケット交換ネットワーク全体にわたって伝送させる命令をさらに含む請求項１５に記載のコンピュータプログラム。
【請求項１７】
前記領域情報が一連の画素座標である請求項１５に記載のコンピュータプログラム。
【請求項１８】
前記プロセッサにスコアを出力させ、次いで同スコアを前記遠隔観察ステーションに表示のために伝達させる命令をさらに含んでいる請求項１５に記載のコンピュータプログラム。
【請求項１９】
前記遠隔観察ステーションから診断結果を受け取り、次いで前記診断結果をデータベースの前記原医療画像と関連づける命令をさらに含んでいる請求項１５に記載のコンピュータプログラム。
【請求項２０】
ヒトの視覚が検知可能なデータ損失を減らす圧縮アルゴリズムを適用する命令をさらに含んでいる請求項１５に記載のコンピュータプログラム。
【請求項２１】
原医療画像を識別するデータ部と、
圧縮されたバージョンの前記原医療画像を識別するデータ部と、
前記原医療画像のある領域に適用した画像分析操作由来の出力スコアを記憶するデータ部とを備えた
データ構造を記憶させたコンピュータ読取り可能な媒体。
【請求項２２】
前記データ構造が、診断結果を前記原医療画像と関連づけるデータ部を含んでいる請求項２１に記載のコンピュータ読取り可能な媒体。
【請求項２３】
原医療画像をある圧縮レベルで圧縮し、
前記圧縮された医療画像を遠隔観察ステーションに表示のために伝送し、
前記該遠隔観察ステーションから前記圧縮された医療画像のある領域を定義する領域情報を受け取り、次いで
前記原医療画像のある領域を、前記領域情報の機能として、第２圧縮レベルで圧縮する
ことを含んでなる方法。
【請求項２４】
前記圧縮された医療画像を伝送することが、同圧縮された医療画像を大域パケット変換ネットワーク全体にわたって伝送することを含む請求項２２に記載の方法。
【請求項２５】
前記領域情報が一連の画素座標である請求項２３に記載の方法。
【請求項２６】
前記遠隔観察ステーションから診断結果を受け取り、次いで前記診断結果をデータベース内の前記原医療画像と関連づけることをさらに含む請求項２３に記載の方法。
【請求項２７】
医療画像を遠隔観察ステーションに伝送して表示し、
前記表示された医療画像のある領域を定義する領域情報を前記遠隔観察ステーションから受け取り、次いで
画像サーバーで、前記原医療画像のある領域に画像処理操作を前記領域情報の機能として局所的に適用する
ことを含んでなる方法。
【請求項２８】
前記医療画像を伝送することが、同医療画像を大域パケット交換ネットワーク全体にわたって伝送することを含む請求項２７に記載の方法。
【請求項２９】
前記領域情報が一連の画素座標である請求項２７に記載の方法。
【請求項３０】
医療画像を伝送することが、医療画像を圧縮することを含む請求項２７に記載の方法。
【発明の詳細な説明】
【０００１】
背景
病理学者は、癌、感染症及び産前障害などの生理学的症状を診断するとき、一般に顕微鏡を使用する。通常、スライドガラスにのせた組織の試料を顕微鏡に装填し、顕微鏡の対物レンズの焦点を試料のある領域に合わせ、次いで試料を、特定の特徴部分又は対照の物体について走査する。このように、顕微鏡は、細胞、細胞小器官、生物体又は生物学的マーカーの異常なものの数又はタイプの存在を病理学者が眼で見て確認するのに役立つ。
【０００２】
最近、自動顕微鏡が、各種のネットワーク要素を含む医療画像形成システム中に組みこまれている。この医療画像形成システムは、顕微鏡が生成する医療画像を記憶又は検索するための環境を備えている。この医療画像形成システムの要素は、デパートメント又は病院全体にわたって分散され又は、遠隔地にさえ配置されそして通信ネットワークによって接続されている。
【０００３】
画像獲得装置が、前記顕微鏡に接続されて同顕微鏡が作成した画像を獲得する。その画像獲得装置は各種の要素を備えている。例えば、画像獲得装置はビデオカメラを備え、そのビデオカメラが作成するビデオの流れを獲得して一連のディジタル画像を生成する高速フレームグラッバに接続されている。代わりに、前記電子カメラはメガ画素ディジタルカメラでもよい。前記顕微鏡と画像獲得装置はいくつもの異なるカラー面に対しいくつもの異なる焦平面で画像を獲得することができる。これらの画像を結合（スティッチ）して二次元又は三次元の複合画像をつくることができる。このように組み合わせると、その画像は一般にカラーでかつ高解像度なので、その複合画像は、医療画像形成システムに対して、かなりの記憶装置と帯域幅を要求する。例えば、組織の単一スライドガラスの複合画像は大きさが１ギガバイトを超えることが多い。
【０００４】
画像記憶装置及びアーカイバル装置は、画像獲得装置によって獲得された医療画像を記憶する中央ライブラリーを提供する。画像記憶装置は、１又は２以上のデータベース及び新しく獲得した画像に迅速にアクセスする画像サーバーを備えている。アーカイバル装置、例えば、光ディスクジュークボックス及びテープバックアップシステムは長期間の記憶を行う。病理学者がアーカイブされた画像を見たいとき、その画像は、対応するアーカイバル装置から、前記画像記憶装置のうちの一つに自動的に「移行」される。
【０００５】
診断クオリティ観察ステーション（ｄｉａｇｎｏｓｔｉｃ ｑｕａｌｉｔｙ ｖｉｅｗ ｓｔａｔｉｏｎ）は前記画像獲得システムによって獲得された画像を表示する。医療画像を解釈する際に、病理学者を助けるため、観察ステーションは、医療画像に対して各種の画像処理操作を行うことができる。例えば、病理学者は、前記観察ステーションにおいて、組織の試料内の特定検体の濃度を確認するため、アルゴリズムを呼び出して、医療画像の選択された領域の濃度測定を行うことができる。その外の画像処理操作は、細胞の核などの物体を画像中に見つけ、それら細胞の核の積算光濃度（ｉｎｔｅｇｒａｔｅｄ ｏｐｔｉｃａｌ ｄｅｎｓｉｔｙ）を計算し、次いで１細胞当り微粒子の数を報告するのに有用である。大部分の画像処理操作は、固定数（スコア）［ｆｉｘｅｄ ｎｕｍｂｅｒ（ｓｃｏｒｅ）］を出力するが、予め定められた範囲内に入ることが多い。
【０００６】
発明の要約
一般に、本発明によれば、医療画像の遠隔解釈が容易になる。組織の試料の適時診断を容易にするため、病理学者などの医療専門家が、医療画像を、遠隔地で観察して解釈できることが望ましい。単一の組織試料の医療画像が大きすぎると、一般に、帯域幅の利約条件のため、遠隔観察ができなくなる。圧縮アルゴリズムは、伝送するのに適した画像を作成できるが、圧縮中にデータが失われて、画像分析操作から不正確な結果がもたらされることがある。
【０００７】
本発明は、一つの側面において、遠隔観察ステーションが画像サーバーに通信で接続されて圧縮バージョンの原医療画像を受け取るシステムを目的とするものである。前記遠隔観察ステーションは受け取った医療画像を圧縮解除して表示する。前記遠隔観察ステーションは、前記表示された医療画像のある領域を、病理学者などの医療専門家から受け取った入力の機能として選択する。前記入力に基づいて、遠隔観察ステーションは、一連の画素座標などの領域情報を、画像サーバーに送り戻す。その画像サーバーは、圧縮された医療画像の前記選択された領域に対応する原医療画像のある領域に、画像分析操作を適用する。この方式では、画像を圧縮中に生じるデータ損失は、画像分析操作に悪影響を与えない。それ故、前記画像分析操作は、その操作が遠隔観察ステーションによって前記圧縮された画像に適用された場合より正確な結果をもたらす。
【０００８】
もう一つの側面で、本発明は、医療画像を、遠隔地で解釈する方法を目的とするものである。この方法によれば、圧縮された医療画像が、原医療画像から作成され、次いで画像サーバーから遠隔観察ステーションに伝送されて表示される。一実施態様では、該圧縮された医療画像が、インターネットなどの大域パケット交換ネットワーク全体にわたって伝送される。遠隔観察ステーションによって表示された医療画像のある領域が、医療専門家からの入力に応答して選択される。表示された医療画像の選択された領域を定義する領域情報は、前記遠隔観察ステーションから画像サーバーに送り戻される。前記領域情報に基づいて、画像分析操作が、原医療画像の対応する領域に適用される。得られたスコアは、遠隔観察ステーションに通信されて表示される。診断結果が、遠隔観察ステーションから受け取られ、次いで画像サーバーが維持するデータベース内の原医療画像と関連づけられる。
【０００９】
本発明の各種実施態様は、添付図面と下記の説明に記載してある。本発明の他の特徴と利点は、以下の説明、図面及び特許請求の範囲から明らかになるであろう。
【００１０】
詳細な説明
図１は、医療画像を遠隔地で観察して解釈することを容易にするシステム１０を示すブロック図である。システム１０は、ローカルエリアネットワーク又はインターネットなどのパケット交換ネットワークであるネットワーク２０によって医療画像形成システム（ＭＩＳ）１２に通信で接続されている遠隔観察ステーション２６を備えている。ＭＩＳ１２は、自動顕微鏡と組み合わせて使用される電子カメラなどの、ディジタル医療画像を作成する医療画像形成装置である画像獲得装置１４を備えている。他の画像獲得装置としては、コンピュータ断層撮影（ＣＴ）装置、核医学装置、磁気共鳴画像形成（ＭＲＩ）装置、超音波装置及びＸ線装置がある。画像サーバー２４は、画像獲得装置１４が作成する画像を記憶し、次いで要求に応じて、その画像を観察ステーション１６に表示のために伝達する。病理学者などの医療専門家は、観察ステーション１６を使用して、選択された領域について各種の画像処理法を実施して、診断を行うのに役立てることができる。
【００１１】
以下に詳細に述べるように、ＭＩＳ１２の画像サーバー２４は、圧縮された医療画像を、医療専門家による解釈のために、遠隔観察ステーション２６に伝達する。ウェブブラウザーなどのネットワークソフトウェアアプリケーションを使用して、医療専門家が、遠隔観察ステーション２６と対話し、画像内の対象としている各種の領域を選択する。その選択に基づいて、画像サーバー２４は、それに記憶された原医療画像に、画像分析機能を直接適用し、その結果、遠隔観察ステーション２６が、前記機能を、圧縮後の医療画像に適用する場合より正確なスコアを生成する。画像処理操作によって作成され得られたスコアは、遠隔観察ステーション２６に伝達されて、医療専門家が医療画像を解釈して診断するのに役立つ。
【００１２】
図２は、遠隔観察ステーション２６による医療画像の解釈をし易くするプロセス２８の一実施態様を示すフローチャートである。医療専門家は、ネットワークソフトウェアアプリケーションを使用して、遠隔観察ステーション２６と対話し、ＭＩＳ１２にアクセスし、次いで観察するためにマークされている症例、すなわち画像は画像獲得装置１４によって獲得されているが、医療専門家が観察していない症例のリストを受け取る（３０）。医療専門家は、遠隔観察ステーション２６が表示したリストを見て、症例の中の一つを選択して観察する（３２）。
【００１３】
上記選択に基づいて、画像サーバー２４は、前記症例に関連する医療画像を圧縮して、その圧縮画像を、遠隔観察ステーション２６に、ネットワーク２０を介して伝達する（３４）。遠隔観察ステーション２６は、医療専門家による観察のために、その画像の圧縮を解除して、その圧縮を解除された画像を表示する（３６）。その表示された画像は、圧縮中にデータが損失するので、画像サーバー２４に記憶された原画像のピクセル単位の複製物ではない。しかし、圧縮画像が、その可視表現を大きく変えることなしに、比較的小さい帯域幅を使用するように、圧縮比を達成することができるいくつものアルゴリズムが知られている。したがって、画像の圧縮は、ヒトの視覚に対し、有効に損失なしにすることができる。例えば、ＪＰＥＧ圧縮及びフラクタル画像圧縮の両者は、中位の圧縮に設定すると、ヒトの視覚が知覚できるデータ損失をもたらすことなく、伝達するのに適切な画像が得られる。
【００１４】
ライトペン、マウスまたはトラックボールなどのポインティング装置を使用して、医療専門家は、対象の１又は２以上の領域を選択する。その医療専門家は、画像処理すべき領域にタグ付けするか、又は画像サーバー２４に、選択された領域の画像データを、圧縮を低く設定して伝送するように要求することができる。例えば、医療専門家は、画像サーバー２４に、圧縮を低くして画像を伝送させるか又は選択された領域の圧縮が解除された画素単位の複製を伝送させることができる。遠隔観察ステーション２６は、選択された領域の形態と大きさをエンコードして、その領域情報を、ＭＩＳ１２へ、ネットワーク２０によって伝送する（３８）。その領域情報は、選択された領域の境界を定義し、そして一実施態様では、選択された領域のアウトラインを定義する一組の画素座標である。したがって、領域情報は一般に、少量の情報を含んでいるので、画像サーバー２４に迅速に伝送することができる。
【００１５】
医療専門家が、画像サーバー２４に、対象の領域の画像データを、圧縮の設定を低くするか圧縮なしで伝送するように要求すると、画像サーバー２４は、対応する画素データを原画像から抽出して、その画素データを、遠隔観察ステーション２６に伝達する（４０）。この方式で、医療専門家は、画像サーバー２４に原画像全体を、ネットワーク２０を通じて伝送するように要求することなしに、対象の領域を高解像度で、観察することができるか又は画素単位の複製さえも観察できる。医療専門家は、対象の領域を観察するとき、画像処理を行うべき領域にタグ付けするか又は対象のサブ領域を選択することができる。
【００１６】
医療専門家が画像処理を行うために選択した領域にタグ付けを行えば、画像サーバー２４は、対応する原医療画像に対して、要求された画像処理操作を実行する（４２）。より具体的に述べると、画像サーバー２４は、遠隔観察ステーション２６から受け取った領域情報を分析し、次に原画像の画素データのサブセットに画像処理操作を適用する。そのサブセット画素データは、遠隔観察ステーション２６から受け取った領域情報によって定義される境界に基づいて選択される。この方式では、前記画像処理操作は、圧縮して伝送され次いで遠隔観察ステーション２６にて圧縮解除されて表示された画像に、遠隔観察ステーション２６が適用した場合より正確なスコアを生成する。それ故、圧縮中に起こるデータ損失は、画像分析に悪影響を与えない。
【００１７】
画像サーバー２４は、各領域のスコアを、遠隔観察ステーション２６に伝達して、医療専門家に表示する（４４）。対象の領域に関連するスコアのみならず医療画像の可視表示に基づいて、医療専門家は医療画像を解釈して診断を行う。例えば、医療専門家は、特定の組織試料が癌性であると判断することができる。遠隔観察ステーション２６が、前記診断結果を、ＭＩＳ１２に伝達して、画像サーバー２４が保持しているデータベース内の適当な症例と関連づける（４６）。
【００１８】
本発明は、ディジタル電子回路又はコンピュータのハードウェア、ファームウェア、ソフトウェア又はこれらの組合せで実施することができる。さらに、本発明は、実施されるプログラム可能システムの操作環境内で実行可能でかつ機械読取り可能な（コンピュータ読取り可能な）記憶装置に実態的に記憶される１又は２以上のコンピュータプログラムで実施することができる。
【００１９】
図３は、本発明の各種実施態様を実行又は行うため、観察ステーション２６として使用するのに適切なコンピュータ１００の一実施例を示す。図３に示すように、コンピュータ１００は、一実施態様で、米国カリフォルニアサンタクララ所在のＩｎｔｅｌ Ｃｏｒｐｏｒａｔｉｏｎが製造しているＰＥＮＴＩＵＭ（登録商標）ファミリーのマイクロプロセッサに属しているプロセッサ１１２を備えている。しかし、コンピュータ１００は、他のマイクロプロセッサ類、例えばＳｉｌｉｃｏｎ Ｇｒａｐｈｉｃｓ Ｃｏｒｐｏｒａｔｉｏｎ由来のＭＩＰＳ（登録商標）ファミリーのマイクロプロセッサ、Ｍｏｔｏｒｏｌａ ＣｏｒｐｏｒａｔｉｏｎとＩＢＭ Ｃｏｒｐｏｒａｔｉｏｎ両者由来のＰＯＷＥＲＰＣ（登録商標）ファミリーのマイクロプロセッサ、Ｈｅｗｌｅｔｔ−Ｐａｃｋａｒｄ Ｃｏｍｐａｎｙ由来のＰＲＥＣＩＳＩＯＮ  ＡＲＣＨＩＴＥＣＴＵＲＥ（登録商標）ファミリーのマイクロプロセッサ、Ｓｕｎ Ｍｉｃｒｏｓｙｓｔｅｍｓ Ｃｏｒｐｏｒａｔｉｏｎ由来のＳＰＡＲＣ（登録商標）ファミリーのマイクロプロセッサ、又はＣｏｍｐａｑ Ｃｏｍｐｕｔｅｒ Ｃｏｒｐｏｒａｔｉｏｎ由来のＡＬＰＨＡ（登録商標）ファミリーのマイクロプロセッサに基づいたコンピュータで実現することができる。
【００２０】
コンピュータ１００は、読取り専用メモリ（ＲＯＭ）１１４とランダムアクセスメモリ（ＲＡＭ）１１５を備えたシステムメモリ１１３を備え、そのシステムメモリ１１３はシステムデータ／アドレスバス１１６によってプロセッサ１１２に接続されている。ＲＯＭ１１４は、電気的に消去書込み可能な読取り専用メモリ（ＥＥＰＲＯＭ）、フラッシュメモリなどを含む主に読取り専用の装置である。ＲＡＭ１１５は、シンクロナス・ダイナミック・ランダムアクセスメモリなどのランダムアクセスメモリである。
【００２１】
コンピュータ１００内で、入力／出力バス１１８は、バス制御器１１９を介して、データ／アドレスバス１１６に接続されている。一実施態様では、入力／出力バス１１８は、標準のＰＣＩ（Ｐｅｒｉｐｈｅｒａｌ Ｃｏｍｐｏｎｅｎｔ Ｉｎｔｅｒｃｏｎｎｅｃｔ）バスとして実現される。バス制御器１１９は、プロセッサ１１２からのすべての信号を検査してそれら信号を適当なバスに送る。プロセッサ１１２とシステムメモリ１１３間の信号は、バス制御器１１９を通過するだけである。しかし、プロセッサ１１２からシステムメモリ１１３以外の装置に対する信号は、入力／出力バス１１８に送られる。
【００２２】
ハードディスクドライブ１２０、フレキシブルディスク１５１を読み取るのに使用されるフレキシブルディスクドライブ１２１、及び光ディスク１５２を読み取るために使用されるＣＤ−ＲＯＭドライブなどのオプティカルドライブ１２２を含む各種の装置が、入力／出力バス１１８に接続されている。ビデオ表示装置１２４又は他の種類の表示装置が、ビデオアダプター１２５を介して入力／出力バス１１８に接続され、この表示装置としては医療画像を観察するのに適切な高解像度の表示装置が好ましい。また、コンピュータ１００は、モデム１２９、及び有線接続もしくは無線接続によってネットワーク２０全体にわたって通信するネットワークインターフェース１５３も備えている。
【００２３】
医療専門家は、入力／出力ポート１２８を介してバス１１８に接続されているキーボード１４０及び／又はマウス１４２などのポインティング装置を使用することによって、指令や情報をコンピュータ１００に入力する。他のタイプのポインティング装置（図１には示していない）としては、トラックパッド、トラックボール、ジョイスティック、データグローブ、ヘッドトラッカー及びビデオ表示装置１２４上にカーソルを配置するのに適切な他の装置がある。
【００２４】
ソフトウェアアプリケーション１３６とデータは一般に、ハードディスク１２０、フレキシブルディスク１５１、ＣＤ−ＲＯＭ１５２を備えていてもよい一つのメモリ記憶装置によって記憶され、ＲＡＭ１１５に複写されて実行される。オペレーティングシステム１３５は、ソフトウェアアプリケーション１３０を実行し、使用者が発行する命令を実行する。コンピュータ１００の基本入出力システム（ＢＩＯＳ）１１７はＲＯＭ１１４内に格納されそしてブートすると、ＲＡＭ１１５にロードされる。ＢＩＯＳ１１７は一組の実行可能な基本ルーチンであり、コンピュータ１００内の計算資源間で情報を転送するのに役立つ。
【００２５】
本願は、本発明の改変又は変型をカバーするものである。また本発明は、本願の特許請求の範囲及びその均等物によってのみ限定される。
【図面の簡単な説明】
【図１】本発明の各種要素をハイレベルで示すブロック図である。
【図２】遠隔地で医療画像を解釈するプロセスの一実施態様を示すフローチャートである。
【図３】本発明の各種実施態様を実施するのに適切なコンピュータの一実施態様を示すブロック図である。
【図１】
2004500211.tif 000003
【図２】
2004500211.tif 000004
【図３】
2004500211.tif 000005
【国際公開パンフレット】
2004500211.tif 000006
2004500211.tif 000007
2004500211.tif 000008
2004500211.tif 000009
2004500211.tif 000010
2004500211.tif 000011
2004500211.tif 000012
2004500211.tif 000013
2004500211.tif 000014
2004500211.tif 000015
2004500211.tif 000016
2004500211.tif 000017
2004500211.tif 000018
2004500211.tif 000019
2004500211.tif 000020
2004500211.tif 000021
2004500211.tif 000022
2004500211.tif 000023
【国際調査報告】
2004500211.tif 000024